(57)【要約】      （修正有）【課題】  液体収納容器の開封時の痕跡が明瞭に確認でき、開封・未開封の識別が容易にできるラベルを提供することを目的とする。【解決手段】  キャップ部を覆うことになる第１領域と胴部を覆うことになる第２領域とからなるラベルにおいて、第１領域と第２領域の境界に沿って延びた第１の横ミシン線と、つまみ部から直接又は所定のミシン線を介して第１の横ミシン線まで、第１領域を斜めに延びた切部と不切部とからなる傾斜ミシン線と、その傾斜ミシン線の、第１の横ミシン線より高い位置を起点としてその第１の横ミシン線と平行に延びる第２の横ミシン線とを備え、キャップ部が開動作のためにねじられる際に、第１の横ミシン線、第２の横ミシン線及び傾斜ミシン線が破断して、これら第１、第２の横ミシン線及び傾斜ミシン線で区切られる台形状部分が浮き上がるようにされたことを特徴とする。【選択図】  図１
2007302258.tif 000002
【特許請求の範囲】
【請求項１】
胴部と該胴部にねじ締結されたキャップ部とからなる容器をシールするために、実質的に前記キャップ部を覆うことになる第１領域と前記胴部を覆うことになる第２領域とからなるラベルにおいて、
前記第１領域と前記第２領域の境界に沿って延びた切部と不切部とからなる第１の横ミシン線と、
前記第１領域の縁部に位置するつまみ部と、
前記つまみ部から直接又は所定のミシン線を介して前記第１の横ミシン線まで、前記第１領域を斜めに延びた切部と不切部とからなる傾斜ミシン線と、
その傾斜ミシン線の、前記第１の横ミシン線より高い位置を起点としてその第１の横ミシン線と平行に延びる第２の横ミシン線とを備え、
前記キャップ部が開動作のためにねじられる際に、前記第１の横ミシン線、第２の横ミシン線及び傾斜ミシン線が破断して、これら第１、第２の横ミシン線及び傾斜ミシン線で区切られる台形状部分が浮き上がるようにされたことを特徴とするラベル。
【請求項２】
前記第１の横ミシン線と前記傾斜ミシン線の接点領域における前記第１の横ミシン線の１又は２以上の切部が、その長さが他の切部より短い短尺切部として形成されていることを特徴とする請求項１記載のラベル。
【発明の詳細な説明】
【技術分野】
【０００１】
本発明は、点眼薬容器などの液体収納容器に用いられるラベルに関する。
【背景技術】
【０００２】
従来より、胴部と該胴部に締結されたキャップ部とからなる点眼薬容器などの液体収納容器を包装するために用いるラベルとしては、キャップ部を覆っているラベルを開封後に簡単に取り除くことができるものが要求されている。そして、下記特許文献１には、胴部を覆う下領域とキャップ部を覆う上領域の境界に横ミシン線が形成され、上領域の端部のつまみ部から横ミシン線まで延びる傾斜ミシン線が設けられているシーリングラベルが開示されている。
【特許文献１】特許第３６０３２６３号公報
【０００３】
上記公報に記載されているシーリングラベルによれば、つまみ部を持ってシーリングラベルの上領域の傾斜ミシン線と横ミシン線を破断してシーリングラベルを剥がし、その後キャップ部をまわして２ステップの動作で開封したり、１ステップの動作でラベル包装されている容器のキャップ部を回転させ、シーリングラベルの横ミシン線を破断して開封することができる。
【発明の開示】
【発明が解決しようとする課題】
【０００４】
しかし、キャップ部を回転させて１ステップで開封した場合、キャップ部を回転させるときの力のかけ具合により、傾斜ミシン線が全く破断せず横ミシン線だけが破断することがある。この場合、傾斜ミシン線が破断されないままキャップ部を元に戻すと、開封の痕跡が明瞭に確認できない問題がある。点眼薬容器などの容器においては、何者かの悪質ないたずらによる改竄を防止するために、開封・未開封の識別が目視で容易に行うことができるものが望まれている。
【０００５】
本発明は、上記問題に鑑みてなされたものであり、１ステップでキャップ部を回転させて開封する場合に、液体収納容器の開封時の痕跡が明瞭に確認でき、開封・未開封の識別が容易にできるラベルを提供することを目的とする。
【課題を解決するための手段・発明の効果】
【０００６】
上記課題を解決するため、本発明のラベルは、胴部と該胴部にねじ締結されたキャップ部とからなる容器をシールするために、実質的にキャップ部を覆うことになる第１領域と胴部を覆うことになる第２領域とからなるラベルにおいて、
第１領域と第２領域の境界に沿って延びた切部と不切部とからなる第１の横ミシン線と、
第１領域の縁部に位置するつまみ部と、
つまみ部から直接又は所定のミシン線を介して第１の横ミシン線まで、第１領域を斜めに延びた切部と不切部とからなる傾斜ミシン線と、
その傾斜ミシン線の、第１の横ミシン線より高い位置を起点としてその第１の横ミシン線と平行に延びる第２の横ミシン線とを備え、
キャップ部が開動作のためにねじられる際に、第１の横ミシン線、第２の横ミシン線及び傾斜ミシン線が破断して、これら第１、第２の横ミシン線及び傾斜ミシン線で区切られる台形状部分が浮き上がるようにされたことを特徴とする。
【０００７】
上記本発明によれば、キャップ部を回転させると、第１の横ミシン線と傾斜ミシン線に沿って開封させる破断力が作用し、また、第２横ミシン線に対しても破断力が作用して、これらミシン線が破断される。このように、第１、第２の横ミシン線及び傾斜ミシン線が破断されることにより、第１、第２の横ミシン線及び傾斜ミシン線で区切られる台形状部分が破断片として容器から浮き上がるラベルを得る。これにより、何者かがキャップ部を回転させて開栓した後にキャップ部を元に戻すような悪質ないたずらをした場合でも、使用者は、台形状部分の破断片を目印としてキャップの開封・未開封を明瞭に確認することができ、改竄行為を効果的に防止できる。
【０００８】
また、本発明のラベルは、第１の横ミシン線と傾斜ミシン線の接点領域における第１の横ミシン線の１又は２以上の切部が、その長さが他の切部より短い短尺切部として形成されたものとすることができる。キャップ部を回転させて開封しようとすると、第１の横ミシン線と傾斜ミシン線に沿って開封させる破断力が作用する。この時、第１の横ミシン線において、第１の横ミシン線と傾斜ミシン線の接点領域部分に短尺切部を連続させて形成することによって、単位長さに対する不切部の数が多くなり、その部分が破断に対する抵抗となる。そのため、短尺切部でない通常の切部で形成される傾斜ミシン線の方が第１の横ミシン線より破断されやすくなる。このように、傾斜ミシン線が破断されやすい構成とすることにより、第１、第２の横ミシン線及び傾斜ミシン線で区切られる台形状部分が破断片として容器から浮き上がるラベルを得る。
【発明を実施するための最良の形態】
【０００９】
以下、本発明の実施の形態を、図面を用いて説明する。本実施例は、主として点眼薬に用いるラベルについて例示しているが、本発明はこれらに限定されるものではなく、特許請求の範囲を逸脱しない限りにおいて、当業者の知識に基づく種々の変更が可能である。
【００１０】
図１は、本発明に係るラベル１の展開正面図である。ラベル１は、熱収縮性の合成樹脂からなり、長方形状のフィルムまたはシートとして成形されている。このラベル１は、上半分の第１領域１Ａと、下半分の第２領域１Ｂとを備えている。そして、第１領域１Ａと第２領域１Ｂの境界に沿って延びた第１の横ミシン線１０が形成されている。
【００１１】
第１領域１Ａには、上端部につまみ部１ａが形成され、つまみ部１ａから第１の横ミシン線１０まで第１領域１Ａを斜めに延びた傾斜ミシン線３０と、傾斜ミシン線３０の第１の横ミシン線１０より高い位置を起点として第１の横ミシン線１０と平行に第１領域１Ａの中途位置まで延びる第２の横ミシン線２０とが形成されている。
【００１２】
また、第２領域１Ｂの表面または裏面には、図示しないが、例えば、収納された液薬の薬品名、商品名、製造元、販売元、容器・ラベルの材質、使用期限、製造番号等の法定表示が適宜記載された印刷層を設けることができ、第２領域１Ｂの裏面に接着剤が適宜の箇所に塗布されている。
【００１３】
第１領域１Ａに形成されている第１の横ミシン線１０は、図２の拡大図に示すように、切部１１と不切部１２とが交互に形成されている。第１の横ミシン線１０の傾斜ミシン線３０に対して鈍角側の切部１１は、切部１１の先端を始点として所定の屈曲角度で形成された斜め切部１５からなるＶ字状切部１３によって形成してもよい。また、第１の横ミシン線１０と傾斜ミシン線３０が合流する接点部分の切部は、傾斜ミシン線３０から第１横ミシン線１０に続く曲線状の切部１４として形成することができる。
【００１４】
第２の横ミシン線２０は、切部２１、不切部２２とが交互に形成されている。また、第２の横ミシン線２０と傾斜ミシン線３０とが合流する接点部分には、第２の横ミシン線２０から傾斜ミシン線３０に続く曲線状切部２４によって形成することができる。
【００１５】
傾斜ミシン線３０は、切部３１、不切部３２とが交互に形成されている。切部３１を、切部３１の先端を始点として所定の屈曲角度で形成された斜め切部３５からなるＶ字状切部３３として形成してもよい。
【００１６】
図３に示すように、ラベル１は、点眼薬容器２の周側面に巻き回して取付けられ、熱収縮によって点眼薬容器２の形状に密着するように包装される。すなわち、ラベル１を点眼薬容器２に対して一端から巻き始め、一周してラベル１の重なり部同士を重ねて接着させる。このように点眼薬容器２を包装すると、第１領域１Ａはキャップ部４を、第２領域１Ｂは胴部３を覆う。そして、第１の横ミシン線１０が点眼薬容器２のキャップ部４と胴部３の境界として点眼薬容器２を周回するように構成されている。
【００１７】
図４は、点眼薬容器２のキャップ部４を回して開封した状態を示した図である。点眼薬容器２を１ステップでキャップ部４を回転させて開封する場合、第１の横ミシン線１０に沿って回転方向にねじられて破断力が作用し、第１の横ミシン線１０は切断し始める。また、第２の横ミシン線２０や傾斜ミシン線３０にも回転方向に破断力が作用する。この時、回転される第１領域１Ａと固定される第２領域１Ｂにおいて、傾斜ミシン線３０の傾斜方向がキャップ部４の回転方向に対して斜め下方に傾斜して形成されているため、第１領域１Ａの傾斜ミシン線３０が形成されている側では傾斜ミシン線３０から破断され、傾斜ミシン線３０が形成されていない側では第１の横ミシン線１０から破断される。また、キャップ部４を回転させることによるひねりによって、第１の横ミシン線１０と第２の横ミシン線２０にそれぞれ力がかかり、第２の横ミシン線２０が破断される。この時、第２の横ミシン線２０は第１領域１Ａの中途位置までしか形成されていないため、第１の横ミシン線１０が点眼薬容器２を１周して破断されるのに対して、第２の横ミシン線２０は点眼薬容器２を１周して破断することなく第１領域１Ａの中途位置で破断が終わる。こうして、キャップ部４が開封されて第１の横ミシン線１０がすべて切断された時には、第１の横ミシン線１０に接続する傾斜ミシン線３０及び第２の横ミシン線２０は破断されており、第１の横ミシン線１０のみが切断されることを防ぐ。
【００１８】
このように、第１、第２の横ミシン線１０、２０及び傾斜ミシン線３０が破断されることによって、第１、第２の横ミシン線１０、２０及び傾斜ミシン線３０で区切られた台形状部分が破断片５０として点眼薬容器２から浮き上がる。そして、台形状部分の破断片５０が浮き上がることによって開栓の痕跡を明確に残すことができ、使用者は台形状の破断片５０の有無を目視にて確認するだけで、キャップの開栓・未開栓を容易に識別することができる。
【００１９】
第１の横ミシン線１０がＶ字状切部１３（図２）に、そして傾斜ミシン線３０がＶ字状切部３３（図２）によって形成されていると、回転方向のねじれが伝わりやすくなり効果的に切断される。また、傾斜ミシン線３０と第１の横ミシン線１０の接点部分が曲線状切部１４（図２）によって形成されていると、傾斜ミシン線３０と第１の横ミシン線１０の合流部に回転方向の破断力が伝わった時に、傾斜ミシン線３０及び第１の横ミシン線１０にスムーズに力が伝わり破断が進む。そして、傾斜ミシン線３０と第２の横ミシン線２０の接点部分が曲線状切部２４（図２）によって形成されていると、第２の横ミシン線２０にかかる回転方向の破断力が傾斜ミシン線３０に伝わりスムーズに破断されやすくなる。
【００２０】
また、つまみ部１ａを持ってラベル１を開封する場合、傾斜ミシン線３０を破断させるときは円周方向に力がかかり裂けやすい。このとき、図２に示すように、傾斜ミシン線３０がＶ字状切部３３によって形成されていると、円周方向に破断しても斜め切部３５に裂け目が繋がり、連続して傾斜ミシン線３０を破断することができる。そして、傾斜ミシン線３０と第１の横ミシン線１０との合流部が曲線状切部１４によって形成されていると、第１の横ミシン線１０への破断がスムーズに進む。また、第１の横ミシン線１０を破断する際には上方向に力がかかり避けやすいが、切部１１がＶ字状切部１３によって形成されていると斜め上方向に破断しても斜め切部１５に裂け目が繋がり連続して破断され、スムーズにラベル１を剥がすことができる。
【００２１】
また、傾斜ミシン線３０が斜め下方に傾斜する方向と逆方向にキャップ部４を回して開封する場合は、キャップ部４の回転によるひねりによって第１の横ミシン線１０及び第２の横ミシン線２０が破断され、この破断によってラベル１がねじられて傾斜ミシン線３０に破断力が伝わり、傾斜ミシン線３０も破断される。よって、第１、第２の横ミシン線１０、２０及び傾斜ミシン線３０で区切られた台形状部分を破断片５０として点眼薬容器２から浮き上がらせることができる。
【００２２】
次に、本発明の別の実施形態について説明する。ここで、上記実施形態と同様の部材は、同一の符号を付して説明を省略する。
図５の本発明の第２実施形態におけるラベルのミシン線の形態を示す拡大図に示すように、傾斜ミシン線３０に対して鋭角側の第１の横ミシン線１０の一部を、切部１１の先端を始点として所定の屈曲角度で形成された斜め切部１５、１６からなるＹ字状切部１７によって形成することができる。このような構成によれば、キャップ部４を回して開封する場合やつまみ部１ａを持って開封する場合、上下方向に破断しても斜め切部１５、１６に裂け目が繋がり、第１の横ミシン線１０を連続して破断することができる。特につまみ部１ａを持って開封する際、ラベル１の破断が第１の横ミシン線１０と傾斜ミシン線３０の合流部に近づくにつれて下方向に力がかかり下方向に裂けやすい。しかし、この構成によれば下方向に破断しても斜め切部１６に裂け目が繋がり、不切部１２を切断して隣接するＹ字状切部１７に連続して切断することができ、開封不良を防ぐことができる。
【００２３】
次に、図６に本発明の第３実施形態におけるラベルのミシン線の形態を示す拡大図を示す。この構成では、第１の横ミシン線１０の一部が、不切部１２と、切部１１より短い短尺切部１８とによって形成されている。第１の横ミシン線１０は、長さＤの切部１１と不切部１２とが連続して形成されており、Ｄより短いｄを長さとした短尺切部１８と不切部１２とが連続して形成されたＷ１、Ｗ２が、横ミシン線１０と傾斜ミシン線３０の接点領域に形成されるように配置されている。一方、傾斜ミシン線３０は、不切部３２と切部３１の先端を始点として所定の屈曲角度で形成された斜め切部３５からなるＶ字状切部３３とによって形成されている。
【００２４】
点眼薬容器２（図３）を１ステップでキャップ部４を回転させて開封する場合、第１の横ミシン線１０と傾斜ミシン線３０に沿って開封させる破断力が作用する。この時、切部１１より短い短尺切部１８によって形成されたＷ１、Ｗ２部分では、単位長さ辺りの不切部の長さが大きくなる。これにより、短尺切部１８が連続する第１の横ミシン線１０と傾斜ミシン線３０の接点領域Ｗ１、Ｗ２では破断に対する抵抗となって作用する。そのため、短尺切部ではない通常の切部で形成されている傾斜ミシン線３０の方が第１の横ミシン線１０より破断されやすくなり、傾斜ミシン線３０が破断されずに第１の横ミシン線１０のみが破断されることを防ぐことができる。そして、第２の横ミシン線２０はキャップ部４を回転させることによるひねりによって破断される。このように、傾斜ミシン線３０が破断されやすい構成とすることによって、第１、第２の横ミシン線１０、２０及び傾斜ミシン線３０で区切られる台形状部分を破断片５０として点眼薬容器２から浮き上がらせることができる。好ましくは、第２の横ミシン線２０が切断しやすいように不切部２２の割合が少なく形成されていると、第２の横ミシン線２０が切断して台形状部分が浮き上がりやすいラベルとなる。なお、第１の横ミシン線１０において、短尺切部１８と不切部１２とを連続させて配置した抵抗のつけかたは、本実施形態に限定されるものではない。
【００２５】
第４実施形態として、図７に示すように、つまみ部１ａから続く傾斜ミシン線３０が、つまみ部１ａの左端部から下方に第１領域１Ａの途中まで垂直に延びる補助切断線３６と、補助切断線３６の下端部から第１の横ミシン線１０まで斜めに延びた斜めミシン線３７とから形成され、つまみ部１ａの右端部から補助ミシン線４１、４２が、それぞれ補助切断線３６、斜めミシン線３７と平行に形成されるようにしてもよい。この時、補助ミシン線４２を第１の横ミシン線１０まで斜めに延ばして形成すると、つまみ部１ａから続く帯体のみが切除されて分離してしまうので、補助ミシン線４２は第１の横ミシン線１０に接しない程度に第１領域１Ａの中途位置までとなっている。このように形成すると、つまみ部１ａを持って剥がしていく過程で、つまみ部１ａから続くミシン線が２本となっているため抵抗が小さく、ミシン線に沿って切断しやすくなる。また、補助ミシン線４２が第１領域１Ａの途中までしか形成されていないため、補助ミシン線４１，４２側では補助ミシン線４２の下端部でひっかかり、傾斜ミシン線３０側では傾斜ミシン線３０と傾斜ミシン線３０から続く第１横ミシン線１０へと切断させることができる。そして、第１の横ミシン線１０に沿って一周させ、キャップ部４を覆うラベル１の第１領域１Ａを簡単に剥離させて開封することができる。
【００２６】
この発明は、例えば、使用者がつまみ部１ａを持ってラベル１を開封しようとするとき、単一動作でスムーズにラベル１を剥がし除去することができる。また、このラベル１で包装された点眼薬容器２を、そのままキャップ部４を回して開封することも可能であり、その際、開封時の痕跡として台形状部分の破断片５０が容易に視認でき、修復ができないことから改竄防止に役立つものである。
【図面の簡単な説明】
【００２７】
【図１】本発明の第１実施形態におけるラベルの展開正面図。
【図２】図１のラベルのミシン線の形態を示す拡大図。
【図３】ラベルで包装した容器を示す外観斜視図。
【図４】容器のキャップを回して開封した状態を示す外観斜視図。
【図５】本発明の第２実施形態におけるミシン線の形態を示す拡大図。
【図６】本発明の第３実施形態におけるミシン線の形態を示す拡大図。
【図７】本発明の第４実施形態におけるラベルの展開正面図。
【符号の説明】
【００２８】
１      ラベル
１Ａ    第１領域
１Ｂ    第２領域
１ａ    つまみ部
２      点眼薬容器
３      胴部
４      キャップ部
１０    第１の横ミシン線
１１、２１、３１    切部
１２、２２、３２    不切部
１３、３３    Ｖ字状切部
１４、２４    曲線状切部
１５、１６、３５    斜め切部
１８    短尺切部
２０    第２の横ミシン線
３０    傾斜ミシン線
３６    補助切断線
３７    斜めミシン線
４１、４２    補助ミシン線
５０    破断片
【図１】
2007302258.tif 000003
【図２】
2007302258.tif 000004
【図３】
2007302258.tif 000005
【図４】
2007302258.tif 000006
【図５】
2007302258.tif 000007
【図６】
2007302258.tif 000008
【図７】
2007302258.tif 000009